Podtech/llm-jp-corpus-v4-ja_patent huggingface dataset:
(57)【要約】      （修正有）【課題】飲食店・オフィス等において、お互いの距離の近さと直面されたときに感じる緊張感を軽減させてコミュニケーションアップに繋がり、新型コロナウイルス感染症の飛沫感染を防止できるシールドスクリーン付き三角テーブルを提供する。【解決手段】シールドスクリーン付き三角テーブルは、三角テーブル上面のパーティション支え１が固定されたセンタープレート２にパーティション３を３枚装着し、パーティションが重なる上部をかぶせ部品を差し込みネジで固定する。人間の視野が１２０°以上であることに依り６０°の角度をつけることで、視野の範囲内で認識しつつ直視することなく飲食・ミーティングなどができる。【選択図】図１
0003230675.tif 000002
【実用新案登録請求の範囲】
【請求項１】
正三角形のテーブルに各々が座った時、視線が６０°ずつずれて各人の視線が直交せず緊張感が緩和されリラックスすることに依り、コミュニケーションＵＰにつながる。又、人間工学的にも各人を大きく首を振ることなく、同時に相対する２人の動作を確認することが出来るとともに、相互間の距離が四角形等のテーブルと比べて大きくなるようにした、シールドスクリーン付き三角テーブル。
【請求項２】
三角テーブルの上面の、三角形のセンタープレートにアクリル製のパーティション（＝シールドスクリーン）を設置して上からかぶせ材で挟み込みネジで固定することに依り、新型コロナウイルス飛沫感染対策を行う、シールドスクリーン付き三角テーブル。
【考案の詳細な説明】
【技術分野】
【０００１】本考案は、飲食店の店舗に設置される飲食テーブル及びオフィスに設置されるミーティングテーブル、又は医療施設で設置されるカウンセリングテーブルに係るものである。
【背景技術】
【０００２】近年、新型コロナウイルス感染症等の感染症が流行しており、飛沫感染の防止対策で、利用者が安心して使用できるように一人ひとりの距離を広く保ち、間隔をあけて座る対策が要求されている。しかし、従来からオフィスや店舗等で使用されているテーブルは四角形の形（図５）が多く、密集をさけるべく座席の間隔をあけて対応しているところが多い。
【先行技術文献】
【特許文献】
【０００３】
【実用新案文献１】
実用新案登録第３２１９０５２号公報
【考案の概要】
【考案が解決しようとする課題】
【０００４】本考案は、飲食店・オフィス・医療施設で対面する際に、新型コロナウイルスの飛沫が飛散しないように、パーティションが設置されたテーブルを提供する。
【課題を解決するための手段】
【０００５】人間の視野が１２０°以上であることに依り６０°の角度をつけることで、視野の範囲内で大きく首を動かさず容易に相手の顔を向き合わせることが出来る。
そして、視線はお互いが少しずれているため直面しない。また、アクリルパーティションは高さが６０ｃｍあり飛沫拡散を防止する一助となる。透明のパネルと、乳白色のパネルの２種類があり利用シーンに合わせて選択することができる。（図６）
【考案の効果】
【０００６】同じサイズスペースに設置した場合、使用人数としては３人になるが座った各人の距離を広く保つことが出来る。さらに、パーティションを使用することに依り「新型コロナウイルス感染症」の拡大防止に繋がっていく。【０００７】透明パネルを使用した場合（図３）、各人がそれぞれの視野の範囲内で相手の表情を確認することができる。四角いテーブルに比べてリラックスして話をすることが出来る。【０００８】乳白色パネルを使用した場合（図４）、各人がそれぞれ異なることをしていても、四角形のテーブルと比べて気にならない。
【図面の簡単な説明】
【０００９】
【図１】三角テーブル  シールドスクリーン付きの俯瞰図である。
【図２】三角テーブル  シールドスクリーン付きの立面図である。
【図３】透明パネルを使用した場合
【図４】乳白色パネルを使用した場合
【図５】四角形のテーブルの俯瞰図である。
【図６】三角テーブル  シールドスクリーン付きの全体図である。
【考案を実施するための形態】
【００１０】本考案は、図１と図２にあるように三角テーブルのセンタープレート２の上面にアクリルパーティション（＝シールドスクリーン）の支え２を設け、アクリルパーティション３枚３を装着し、パーティションが重なる上部を、かぶせ部品４で上下を挟む。
【符号の説明】
【００１１】１  アクリル  パーティションの支え
２  センタープレート
３  アクリル  パーティョン：３枚
４  アクリル  パーティションのかぶせ
５  三角テーブル  本体
【図１】
0003230675.tif 000003
【図２】
0003230675.tif 000004
【図３】
0003230675.tif 000005
【図４】
0003230675.tif 000006
【図５】
0003230675.tif 000007
【図６】
0003230675.tif 000008
【手続補正書】
【提出日】令和2年11月10日(2020.11.10)
【手続補正１】
【補正対象書類名】実用新案登録請求の範囲
【補正対象項目名】全文
【補正方法】変更
【補正の内容】
【実用新案登録請求の範囲】
【請求項１】
（１）正三角形のテーブルに各々が座った時、視線が６０°ずつずれて各人の視線が直交せず緊張感が緩和されリラックスすることが出来ることに依り、コミュニケーションＵＰにつながる、
（２）人間工学的にも各人を大きく首を振ることなく、同時に相対する２人の動作を確認することが出来る、
（３）相互間の距離が四角形等のテーブルと比べて大きくなるようにした、
以上の（１）〜（３）の特徴からなる三角テーブルに
（４）三角テーブルの上面の、三角形のセンタープレートにアクリル製のパーティション（＝シールドスクリーン）を設置、
（５）上からかぶせ材で挟み込みネジで固定、
以上の（４）〜（５）の構成を加えた、新型コロナウイルス飛沫感染対策を行う、シールドスクリーン付き三角テーブル。
(57)【要約】      （修正有）【課題】マスクの使用者の肌に触れる個所が好適な素材で構成されていることにより、長時間の装着に耐えるマスクを提供する。【解決手段】外側から順に第１層１、第２層２、第３層３の３層構造となっており、第３層３が使用者の肌に触れる構造の使用者の口元を覆うマスクＡであって、第１層１は、抗ウイルス加工、抗菌・消臭加工が施された紡織生地であり、第２層２は、所謂ＰＴＦＥフィルターを構成する不織布からなる非紡織生地であり、第３層３は、紡績生地にて構成され所謂シルクプロテイン加工が施されたメッシュ生地である。【選択図】図１
0003230604.tif 000002
【実用新案登録請求の範囲】
【請求項１】
外側から順に第１層、第２層、第３層の３層構造となって前記第３層が使用者の肌に触れる構造の前記使用者の口元を覆うマスクであり、
第１層は、抗ウイルス加工、抗菌・消臭加工が施された紡織生地であり、
第２層は、所謂ＰＴＦＥフィルターを構成する不織布からなる非紡織生地であり、
第３層は、紡織生地にて構成され所謂シルクプロテイン加工が施されたメッシュ生地である、ことを特徴とするマスク。
【考案の詳細な説明】
【技術分野】
【０００１】  本考案は、新たな構造のマスク、特に抗菌性能が高く肌に優しい構造のマスクに関するものである。
【背景技術】
【０００２】  抗菌かつＰＭ２．５粒子等の濾過をする立体型マスクとして、例えば、亜鉛フタロシアニン等感光材料が付着され、綿繊維、竹繊維、麻繊維、ＰＥＴ／ＰＰ及びこれらの混合繊維溶射不織布並びに他の紡織生地を含む繊維生地である抗菌外層（第１層）と、不織布である濾過中間層（第２層）と、ポリプロピレンスパンボンド不織布である保護分離層（第３層）との３層構造により形成され、効果の高い濾過を保証するマスクが知られている（例えば、特許文献１参照）。
【先行技術文献】
【特許文献】
【０００３】
【特許文献１】特許第６３１６９８４号公報
【考案の概要】
【考案が解決しようとする課題】
【０００４】  マスクとしての機能が十分であっても、長時間の装着で肌にダメージを受ける場合があり、特に、当該マスクの使用者の肌に触れる第３層が重要となる。【０００５】  本考案は、前記課題に着目して、抗菌かつＰＭ２．５粒子、さらにウィルスの濾過をする立体型マスクでありながら、かつ、当該マスクの使用者の肌へのダメージを抑える構造を有するマスクの提供を目的とするものである。
【課題を解決するための手段】
【０００６】  本考案のマスクは、外側から順に第１層、第２層、第３層の３層構造となって前記第３層が使用者の肌に触れる構造の前記使用者の口元を覆うマスクであり、第１層は、抗ウイルス加工、抗菌・消臭加工が施された紡織生地であり、第２層は、所謂ＰＴＦＥフィルターを構成する不織布からなる非紡織生地であり、第３層は、紡織生地にて構成され所謂シルクプロテイン加工が施されたメッシュ生地である、ことを特徴とするものである。
【考案の効果】
【０００７】  本考案によれば、マスクの使用者の肌に触れる箇所が好適な素材で構成されていることにより、長時間の装着に耐えるマスクとなり、特に、肌の弱い幼児、女性等の使用に便利である。
【図面の簡単な説明】
【０００８】
【図１】  本考案の一実施例の分解説明図である。
【図２】  同上の全体図である。
【考案を実施するための形態】
【０００９】  本考案のマスクは前述の通り３層構造からなり、不織布に使用が出来ない助剤での加工が可能になる。
【実施例】
【００１０】  以下、添付図面に従って一実施例を説明すると、本考案に係るマスクＡは、外側から順に第１層１、第２層２、第３層３の３層構造となって、第３層３が使用者の肌に触れる構造となっており、このマスクＡには、前記使用者の耳に掛けるリング状の掛け紐４がマスクＡの側方に左右一対で用意されている。【００１１】  第１層１は、例えば、ポリエステル素材からなる紡織生地にて構成され、抗ウイルス加工、抗菌・消臭加工が施されている。【００１２】  第２層２は、例えば、ポリエステル素材のような不織布からなる非紡織生地にて構成されて微粒子をカットする所謂ＰＴＦＥフィルターである。【００１３】  第３層３は、例えば、ポリエステル素材からなる紡織生地にて構成され、所謂シルクプロテイン加工が施されたメッシュ生地である。【００１４】  特に、第３層３は、前記シルクプロテイン加工による保湿効果、吸湿・放湿効果、保温効果、静電気防止効果、紫外線防止効果等の各種効果を有するもので、使用者の肌に優しい構成となっている。【００１５】  第１層１、第２層２、第３層３は、マスクＡの形状に併せて裁断され、３層構造として掛け紐４と共に縫製されて、マスクＡを得るものである。【００１６】  このように、本考案に係るマスクＡは、マスクＡの使用者の肌に触れる箇所である第３層３が好適な素材で構成されていることにより、長時間の装着に耐え、特に、肌の弱い幼児、女性等の使用に便利である。【００１７】  なお、本考案に係るマスクＡは、考案の要旨の範囲で任意の変形、応用等が可能であることは言うまでもなく、生地については上述した素材以外でも同様の作用・効果が得られるものを使用できるし、形状や色彩については、任意に設定可能である。
【符号の説明】
【００１８】Ａ  マスク
１  第１層
２  第２層
３  第３層
４  掛け紐
【図１】
0003230604.tif 000003
【図２】
0003230604.tif 000004
(57)【要約】【課題】ウイルス濾過効率（ＶＦＥ）、微粒子濾過効率（ＰＦＥ）、バクテリア濾過効率（ＢＦＥ）に優れ、呼吸抵抗が少なく、対話が容易にでき、且つ呼吸による湿気を帯びずに、衛生的に長時間の使用ができる２層式マスクを提供する。【解決手段】マスク本体と、着用者の顔に密着固定させる耳紐とを備え、前記マスク本体は、着用時に着用者の顔側に位置する顔側層と、着用時に表側となるメルトブローン不織布層で構成された呼吸抵抗の少ない２層式マスクとする。【選択図】図１
0003230603.tif 000002
【実用新案登録請求の範囲】
【請求項１】
マスク本体と、着用者の顔に密着固定させる耳紐とを備え、前記マスク本体は、着用時に着用者の顔側に位置する顔側層と、着用時に表側となるメルトブローン不織布層で構成された呼吸抵抗の少ない２層式マスク。
【請求項２】
メルトブローン不織布層に品質保証刻印が施された請求項１に記載のマスク。
【考案の詳細な説明】
【技術分野】
【０００１】本考案は、マスクに関するものである。
【背景技術】
【０００２】一般的に、マスクは、顔の鼻と口を覆い、空気中の飛散するほこりや花粉、病菌の吸入を遮断する衛生用品として使用されている。【０００３】マスクは、通常、表層、フィルター層、顔側層の３層で構成されているのが一般的である。（特許文献１）【０００４】表層は、空気中の飛散するほこりや花粉を濾過する機能を有しており、一般的にはポリプロピレン等のスパンボンド不織布が使用されている。【０００５】フィルター層は、マスクを構成する重要な素材であり、微粒子、バクテリア、細菌、ウイルス、等を濾過する機能を有している。【０００６】顔側層は、着用時に着用者の肌に直接触れるため、接触による肌荒れを起こさないように設計されている。一般的にはサーマルボンド不織布、レーヨン等が使用されている。【０００７】また、上記以外に、フィルター層を除いた、表層、顔側層の２層で構成された２層式マスクもある。
【先行技術文献】
【特許文献】
【０００８】
【特許文献１】特開昭６１−２７２０６３  公報
【考案の概要】
【考案が解決しようとする課題】
【０００９】一般的なマスクにおいては、濾過効率を高めるために、上記のとおり３層で構成する必要があるため、呼吸抵抗が高くなり、長時間使用すると息苦しくなるという問題がある。【００１０】また、一般的な３層式マスクの場合、空気層が２層構成されることとり、特に夏場など外気温が高い環境での使用時には、熱がこもり、呼吸による湿気を帯びやすくなる。そのため、長時間使用すると息苦しくなるという問題がある。【００１１】また、通気性を高めるために２層で構成されたマスクもあるが、濾過フィルターは使用されていないため、濾過効率が低くなるという問題がある。【００１２】本考案は、上記の問題点を解決するために、ウイルス濾過効率（ＶＦＥ）、微粒子濾過効率（ＰＦＥ）、バクテリア濾過効率（ＢＦＥ）に優れ、呼吸抵抗が少なく、対話が容易にでき、且つ呼吸による湿気を帯びずに、衛生的に長時間の使用ができる２層式マスクを提供することを目的とする。
【課題を解決するための手段】
【００１３】上記の目的を達するため、本考案は、マスク本体と、着用者の顔に密着固定させる耳紐とを備え、前記マスク本体は、着用時に着用者の顔側に位置する顔側層と、着用時に表側となるメルトブローン不織布層で構成された呼吸抵抗の少ない２層式であることを特徴とする。【００１４】また、上記のメルトブローン不織布層には、品質保証刻印が施されていることを特徴とする。
【考案の効果】
【００１５】本考案の２層式マスクを提供することにより、ウイルス濾過効率（ＶＦＥ）、微粒子濾過効率（ＰＦＥ）、バクテリア濾過効率（ＢＦＥ）に優れ、呼吸抵抗が少なく、対話が容易にでき、且つ呼吸による湿気を帯びずに、衛生的に長時間の使用ができるといった効果が得られる。【００１６】表側となるメルトブローン不織布層に「ＶＦＥ／ＢＦＥ／ＰＦＥ」の品質保証刻印を施すことで、着用時に、マスクの表側であることの目印となり、着用が容易になる。【００１７】一般的な３層式マスクの場合、空気層が２層構成されることとなるが、本考案の２層式マスクの空気層は１層である。したがって、より熱がこもりにくく、呼吸による湿気を帯びにくくなるので、長時間の使用が可能となる。
【図面の簡単な説明】
【００１８】
【図１】本考案の好適実施例の説明図である。
【図２】本考案の好適実施例と、一般的な３層式マスクと、一般的な２層式マスクを比較した断面説明図である。
【考案を実施するための形態】
【００１９】本考案の構造、特徴及び効果を分かりやすくする為、好適実施例を挙げ、図面を合わせて以下に詳細を説明する。
【実施例】
【００２０】図１は、本考案の好適実施例のマスクであり、マスク本体（１）と耳紐（２）で構成される。【００２１】上記のマスク本体（１）は、顔の鼻と口を覆い、空気中の飛散するほこりや花粉、病菌の吸入を遮断する通常的な機能を有するが、ここで上記の本体（１）は一定面積を持つメルトフローン不織布層（５）と顔側層（４）不織布の２層によって形成され、上部には鼻の部分を包んで密着できるようにワイヤーが挿入され、超音波シーリング、または熱溶着処理により形成される。【００２２】上記のマスク本体（１）の表側にあたるメルトブローン不織布層（５）には、超音波シーリング、または熱溶着処理により、品質保証刻印（６）が施され、製品に対する信頼感を高めることとなる。【００２３】上記の耳紐（２）は、マスク本体（１）表側の両側上部及び下部にそれぞれ固定させ、着用時に、マスク本体（１）が、顔に密着できるようにして密閉性と着用感が向上できるようにすることが望ましい。【００２４】本考案の２層式マスクの実施例は例示的にすぎず、上記の説明で触れられる形だけに限定されるものではない。
【符号の説明】
【００２５】１マスク本体
２耳紐
３表層
４顔側層
５メルトブローン不織布層
６品質保証刻印
【図１】
0003230603.tif 000003
【図２】
0003230603.tif 000004
(57)【要約】      （修正有）【課題】抗菌、抗ウィルス作用にすぐれるマウスシールドを提供する。【解決手段】マウスシールドは口と鼻を被覆する透明なシールド１−３と、顎を中心に両コメカミ方向に伸びるフレーム１−１で構成される。フレームはトリウム及びウランのうちの少なくとも１種の自然放射性元素を含有する放射線源材料の微粒粉末を混入したプラスチックで構成される。【選択図】図２
0003230605.tif 000002
【実用新案登録請求の範囲】
【請求項１】
人の顔に取り付けて使用するマウスシールドであって、口と鼻を被覆する透明なシールドと顎を中心に両コメカミ方向に伸びるフレームを有し、フレームに微弱放射線発生物質を含有することを特徴とするマウスシールド。
【請求項２】
請求項１記載の微弱放射線発生物質は、トリウム及びウランの少なくとも１種の自然放射性元素を含有することを特徴とするマウスシールド。
【考案の詳細な説明】
【技術分野】
【０００１】本考案はマウスシールドに関する。
【背景技術】
【０００２】感染症対策として目、鼻、口から侵入する菌やウィルスを防護する目的でフェースシールドやマウスシールドがある。ＣＯＶＩＤ−１９の地球規模での感染拡大に伴って、商品も多く出て関心が高まっているが、汚染飛沫が飛んでくるのをシールドで受け止める機能しか有していないのが現状である。
【先行技術文献】
【０００３】
【特許文献】
【特許文献】特開平０９−２０８２９２
【実用新案文献】
実用新案登録第３２２７７０１号
【考案の概要】
【考案が解決しようとする課題】
【０００４】本考案は、感染症予防のために使用するマウスシールドに関する。
従前よりマスクの長時間着用では蒸れが発生し易いこと、鼻と口の動きが外から見えない等の欠点があった。この欠点を解決すべくマウスシールドが開発されたが、鼻、口とマウスシールドの間には空隙ができるため、菌やウィルスがこの空隙から侵入する危険に対しての防御対策が必要であった。
【課題を解決するための手段】
【０００５】上記の課題を解決すべく本考案者らは鋭意検討した結果、上記の課題は次のような手段によって解決することがわかった。
即ち、マウスシールドは口と鼻を被覆する透明なシールドと、顎を中心に両コメカミ方向に伸びるフレームで構成される。該フレームはトリウム及びウランのうちの少なくとも１種の自然放射性元素を含有する放射線源材料の微粒粉末を混入したプラスチックで構成することで課題を解決できる事が分かった。
【考案の効果】
【０００６】レアアース系鉱石の中で微弱放射線を発生する物質は、空気中の水分と接触してマイナスイオンを発生することが知られている。放射線源材料をマウスシールドのフレームに含有することで、マウスシールド内は勿論、顔面及びその周辺までをマイナスイオンで覆うことができる。発生したマイナスイオンは感染症予防のために、抗菌、抗ウィルス作用を発揮することで、感染症予防が可能となった。
【図面の簡単な説明】
【０００７】
【図１】人間がマウスシールドを装着した見取り図である。
【図２】マウスシールドの代表例の見取り図である。
【考案を実施するための形態】
【０００８】マウスシールドは口と鼻を被覆する透明なシールドと、顎を中心に両コメカミ方向に伸びるフレームで構成される。この際、顎を載せる台部をフレームに接続してもよい。該フレームにはトリウム及びウランのうちの少なくとも１種の自然放射性元素を含有する放射線源材料の微粒粉末を混入したプラスチックで構成する。
【実施例１】
【０００９】  トリウム系の微量放射線発生レアアース鉱物１０ｇを微細化したものとポリプロピレン樹脂９０ｇを混合し、２００℃に加熱、金型内で冷却しマスターバッチを作成した。
該マスターバッチのクラスターイオンは約３０００個／ｃｃの発生であった。
マスターバッチのペレット３０重量部をポリプロピレンのペレット７０重量部と混錬し、２００℃にて平板を成型した。
この平板の空間放射線量は０．１３μＳｖ／ｈであった。通常のバックグランド空間放射線量は０．０６〜０．０７μＳｖ／ｈであることから、０．１３μＳｖ／ｈの空間放射線量は、本実用新案の目指すものを叶えるものであった。（堀場製作所製  環境法線モニタ  ＰＡ−１０００  Ｒａｄｉを使用）
また。原子力安全課  原子力規制室のガイドラインを守るものであることは言うまでもない。よって、該微量放射線を発生するポリプロピレン樹脂を、マウスシールドのフレーム部に使用することで目的を達成することが分かった。
【産業上の利用可能性】
【００１０】レアアース系鉱石の中で微弱放射線を発生する物質は、空気中の水分と接触してマイナスイオンを発生することが知られている。放射線源材料をマウスシールドのフレームに含有することで、マウスシールド内は勿論、顔面及びその周辺までマイナスイオンで覆うことができる。発生したマイナスイオンは感染症予防のために、抗菌、抗ウィルス作用を発揮することで、感染症予防が可能となった。該マウスシールドは日常生活で使用する事は勿論、商用，学校、演劇等の人が動くあらゆる場面で活用が期待できる。
【符号の説明】
【００１１】１−１    ：マウスシールドのフレーム
１−２    ：マウスシールドのフレームと一体の顎乗せ部
１−３    ：マウスシールドのシールド部
１−４    ：マウスシールドの耳への固定部
【図１】
0003230605.tif 000003
【図２】
0003230605.tif 000004
(57)【要約】      （修正有）【課題】ウエストサイズを自由に変更可能なパンツを提供する。【解決手段】ウエストの前面部に面ファスナー２、３を設けてワンタッチでパンツ１のウエストのサイズを自由に変更できる構成とした。また、パンツのウエストのウエスト後ろ部分にゴムを入れることにより伸縮可能とし、更に、パンツのウエストのサイド部分に大きめのタックを付けた。【選択図】図１
0003230377.tif 000002
【実用新案登録請求の範囲】
【請求項１】
パンツのウエスト前面部に面ファスナー部を設け、ワンタッチでウエストのサイズを自由に変更できることを特徴とするパンツ。
【請求項２】
ウエストのサイド部分に大きめのタックを付けたことを特徴とした請求項１に記載したパンツ。
【請求項３】
ウエストのウエスト後ろ部分に弾性体を入れることにより伸縮が可能であることを特徴とする請求項１又は請求項２に記載のパンツ。
【考案の詳細な説明】
【技術分野】
【０００１】  パンツのウエストサイズを自由に変更に関する考案である。
【背景技術】
【０００２】  従来より、ジーンズなどのパンツとして、着用者の体型の変化に応じてウエストサイズを調節することが可能なウエスト調節パンツが知られている。ダイエット等で体型変動が多くなった場合、体型に合わせてウエスト部分の調整が出来るパンツがある。
【先行技術文献】
【特許文献】
【０００３】
【特許文献１】実用新案登録第３１３５７５１号
【考案の概要】
【考案が解決しようとする課題】
【０００４】  ウエスト部分にボタンを使用してサイズ調整をするので、一定サイズ以上になるとサイズ調整が出来ない。又、ウエストサイズが変わる度にボタンの位置を変える必要があるので、履き続けるとストレスを感じる。
【課題を解決するための手段】
【０００５】  本考案は、パンツのウエスト前面部に面ファスナー部を設け、ワンタッチでウエストのサイズを自由に変更できることを特徴とするパンツである。【０００６】  本考案は、ウエストのサイド部分に大きめのタックをつけることを特徴とするパンツである。【０００７】  本考案は、ウエスト後ろ部分に弾性体を入れることにより伸縮が可能であることを特徴とするパンツである。
【考案の効果】
【０００８】  上述の様に、本考案のパンツはウエスト部分に面ファスナーを取り付けることにより自由にウエストサイズを変更することが出来るパンツである。また、ウエストの後ろ部分にゴムを入れて伸縮自在になっているので、とても楽で快適に履くことが出来る。ウエストのサイド部分に大きめのタックを付けたことで、ヒップ周りにゆとりができる。
【図面の簡単な説明】
【０００９】
【図１】本発明の実施例のパンツの正面図である。
【図２】本発明の実施例のパンツの背面図である。
【図３】本発明の実施例のウエストを５０％絞った状態の正面図である。
【図４】本発明の実施例のウエストを１００％絞った状態の正面図である。
【図５】本発明の実施例のパンツの平面図である。
【図６】図３のＡ部の平面拡大図である。
【図７】図４のＢ部の平面拡大図である。
【考案を実施するための形態】
【００１０】  図１は本発明の実施品のパンツの正面図である。図２は本発明の実施例のパンツの背面図である。図３は本発明の実施例のウエストを５０％絞った状態の正面図である。図４は本発明の実施例のウエストを１００％絞った状態の正面図である。図５は本発明の実施例のパンツの平面図である。図６は図３のＡ部の平面拡大図である。図７は図４のＢ部の平面拡大図である。
【００１１】  図１に示すように本発明の実施例のパンツ１はウエスト前面部に一定の幅の面ファスナー２、３を設けている。本実施例においては中央の面ファスナー２には雄で、両サイドの面ファスナー３には雌であるが逆でもよく、双方とも同じの形状で引っ付く面ファスナー２，３を用いてもよい。
【００１２】  図２に示すように本発明の実施例のパンツ１は上部のウエストの後ろ部分にゴム等の伸縮自在な弾性体４を設けている。ウエストの後ろ部分にゴム等の伸縮自在な弾性体４を入れることにより伸縮が可能である。
【００１３】  図３に示すように本発明の実施例のパンツ１はウエストのサイド部分に大きめのタック５を設けている。大きめのタック５を作ることでヒップ周りにゆとりを設けることができる。
【００１３】  図３はウエストのサイズを５０％絞った状態の正面図で、図６はそのときのＡ部の平面図である。図６に示すように両サイドの面ファスナー３と中央部の面ファスナー２の境目でウエストを折り畳み、両サイドの面ファスナー３を中央部の面ファスナー２に貼り付けてウエストのサイズを５０％に絞ることができる。
【００１４】  図４はウエストのサイズを１００％絞った状態の正面図で、図７はそのときのＢ部の平面図である。図７に示すように両サイドの面ファスナー３の先端がウエストの中央部で接した状態で中央部の面ファスナー２に貼り付けてウエストのサイズを１００％に絞ることができる。
【００１５】  本発明の実施例のパンツはウエストに前面部の面ファスナー２、３の貼り付け位置を変えることによりウエストのサイズを自由に変更することができる。
【符号の説明】
【００１６】１  パンツ
２  面ファスナー
３  面ファスナー
４  弾性体
５  タック
【図１】
0003230377.tif 000003
【図２】
0003230377.tif 000004
【図３】
0003230377.tif 000005
【図４】
0003230377.tif 000006
【図５】
0003230377.tif 000007
【図６】
0003230377.tif 000008
【図７】
0003230377.tif 000009
(57)【要約】      （修正有）【課題】駆動部への防水性を維持しつつ、刃部の往復運動をスムーズに行える電動ナイフを提供する。【解決手段】刃部２と本体３とが連結部により連結されており、連結部は蛇腹状の防水部４により覆われ、防水部の一端部は、本体に固着され、防水部の他端部には刃部固定部５が固着され、刃部固定部には刃部が固定されていて、本体の内部にはカム状の外形回転体７ａを備えたモーター７と、該モーター駆動用のバッテリー８を有し、刃部固定部の反刃部側には、一対のコイルスプリング１０の一端部が並列に取り付けられ、一対のコイルスプリングの他端部は外形回転体と当接している。【選択図】図２
0003230375.tif 000002
【実用新案登録請求の範囲】
【請求項１】
刃部と本体とが連結部により連結されており、前記連結部は蛇腹状の防水部により覆われ、防水部の一端部は、本体に固着され、防水部の他端部には刃部固定部が固着され、前記刃部固定部には前記刃部が固定されていて、前記本体の内部にはカム状の外形回転体を備えたモーターと、該モーター駆動用のバッテリーを有し、前記刃部固定部の反刃部側には、一対のコイルスプリングの一端部が並列に取り付けられ、前記一対のコイルスプリングの他端部は前記外形回転体と当接していることを特徴とする電動ナイフ。
【考案の詳細な説明】
【技術分野】
【０００１】
本考案は、料理等で食材を切るための電動ナイフに関する。
【背景技術】
【０００２】
従来より刃部を前後方向（刃軸方向）に往復運動させて使用する電動ナイフが知られており、動作のためにモーターとギア装置を有したものや、電磁石を利用したものなどが考えられている。
【先行技術文献】
【特許文献】
【０００３】
【特許文献１】特開昭６０−６６７８０
【考案の概要】
【考案が解決しようとする課題】
【０００４】
しかしながら、従来の電動ナイフにおいては、その構造上、防水性が問題になることが多く、内部の駆動部が浸水により動作不能になることがあった。
【課題を解決するための手段】
【０００５】
上記課題を解決するために、本考案の電動ナイフは、刃を支持する支持部と一体となった蛇腹状の防水部が本体端部に固着されたことを特徴とする。
【考案の効果】
【０００６】
本考案の電動ナイフによれば、蛇腹状の防水部により、駆動部への防水性を維持しつつ、刃部の往復運動をスムースに行える。
【図面の簡単な説明】
【０００７】
【図１】本考案の電動ナイフの外観図である。
【図２】本考案の電動ナイフの側面断面図である。
【図３】本考案の電動ナイフの平面断面図である。
【実施例】
【０００８】
図１は本考案の電動ナイフの外観図である。図１において、電動ナイフ１は、片側の辺に鋸歯２ａを備えた刃部２と本体３とが連結されており、その連結部は蛇腹状の防水部４により覆われている。防水部４の一端部は、本体３に固着されており、防水部４の他端部には鞘状の刃部固定部５が固着されている。刃部固定部５には刃部２が挿入され、ピン６により固定されている。
【０００９】
図２は本考案の電動ナイフの側面断面図、図３は本考案の電動ナイフの平面断面図である。これらの図において、本考案の電動ナイフの内部構造について説明する。本体３の内部には、カム状の外形回転体７ａを備えたモーター７と、該モーター７駆動用の充電池等のバッテリー８を有し、刃部固定部５の反刃部側には連結部材９を介して２本のコイルスプリング１０の各一端部１０ａが並列に取り付けられ、２本のコイルスプリング１０の各他端部はカム受け部１１を介して前記外形回転体７ａと当接している。なお、コイルスプリング１０は図３の状態が最も縮んだ状態で付勢力が最大であり、図３の状態から前記外形回転体７ａが９０°回転したときに付勢力が最小となるように取り付けられている。なお、１２はモーター７の軸受けである。
【００１０】
図示せぬスイッチの操作でバッテリー８から給電されることより、モーター７が回転し、カム状の外形回転体７ａも一緒に回転する。この外形回転体７ａの回転により、前記コイルスプリング１０が伸縮を繰り返す。これにより、連結部材９を介してコイルスプリング１０と連携した前記刃部固定部５が刃部軸方向に往復運動を行う。そして、刃部２も往復運動を行うので、刃部２に形成された鋸歯２ａにより食材等を切ることができる。
【符号の説明】
【００１１】
１・・・電動ナイフ、２・・・刃部、２ａ・・・鋸歯、３・・・本体、４・・・防水部、５・・・刃部固定部、６・・・ピン、７・・・モーター、
７ａ・・・外形回転体、８・・・バッテリー、９・・・連結部材、１０・・・コイルスプリング、１１・・・カム受け部
【図１】
0003230375.tif 000003
【図２】
0003230375.tif 000004
【図３】
0003230375.tif 000005
(57)【要約】      （修正有）【課題】通常屋外で行う球技を体育館等の施設内で行う際に、床の状態に関係なく、クラブで打ってもボールが遠くまで飛びすぎることなく、床に落ちてもしばらくは直線的に転がり不規則な方向に転がって停止する球技用ボールを提供する。【解決手段】球技用ボール１は、表面が正三角形の平面２により２０面体に形成されている硬質ゴム製のボールであり、隣接する正三角形の辺を、任意のサイズで全て「Ｒ（アール）」面取りし、２０面体の表面を梨地処理する。【選択図】図１
0003230378.tif 000002
【実用新案登録請求の範囲】
【請求項１】
表面が正三角形の平面により２０面体に形成されている硬質ゴム製のボールであって、隣接する正三角形の辺が任意のサイズで全て「Ｒ（アール）」面取りされており、２０面体の表面が梨地処理されていることを特徴とする球技用ボール。
【考案の詳細な説明】
【技術分野】
【０００１】  屋外での球技で起きる複雑なボールの動きを、屋内で再現して楽しむことができる球技用のボールに関するものである。
【背景技術】
【０００２】  屋外での球技には代表的なものとして、ゴルフやゲートボール・グランドゴルフ等があるが、屋外であるがためにゴルフを除いて雨天中止になることが多い。
雨の多い日本では季節によっては長雨となりやすく、長期間に渡って楽しめないことが多い。
そこで、体育館等の施設を借りてでも楽しみたいと考えるのであるが、屋外と違って狭い。
更に、屋外は平坦ではないことが多いので、ボールがどのように転がるのか予想できないことが多いが、体育館等の施設等は平坦であり磨かれていることが多いため、ボールは真っすぐに転がってしまいやすい。
【先行技術文献】
【特許文献】
【０００３】
【特許文献１】実全昭６１−１４５５５８号公報
【考案の概要】
【考案が解決しようとする課題】
【０００４】  実全昭６１−１４５５５８号公報に、全表面を複数の平面により非球体の多面体に形成した遊技用又は球技用ボールが開示されている。
これにより該ボールはスティックで打つと、最初勢いよく略直線的状に転がってゆき、止まる直前にはボール自身のバランス状態により、右・左・斜め前・後方等不規則な方向に倒れると記されている。【０００５】  しかし、屋外ではこれでもよいのであるが、体育館等の施設内においては床の状態によって滑ったり直線的に転がらなかったりすることが多い。【０００６】  本考案は、屋内で床の状態に関係なく、クラブで打ってもボールが遠くまで飛びすぎることなく、床に落ちてもしばらくは直線的に転がり不規則な方向に転がって停止する２０面体の球技用ボールを提供するものである。
【課題を解決するための手段】
【０００７】  上記課題を解決するために、下記のような構成にした。【０００８】  体育館等の屋内において多面体の面数は、表面が正三角形の平面部（２）により２０面体に形成されている硬質ゴム製のボールが最適であることが判った。
硬さと重さは素材を選択することで個人の好みを選べばよい。【０００９】  隣接する正三角形の辺は任意のサイズで全て「Ｒ（アール）」面取り（３）することで、滑らかな回転ができる。【００１０】  更に、２０面体の表面を梨地処理することで、床の状態に関係なく滑りを防止することができる。
【考案の効果】
【００１１】  体育館等の施設で、屋外のようにクラブを振ると、通常のボールは壁や設備に当たって壊してしまったり、窓ガラスを破損してしまうことが考えられるが、本考案の２０面体球技用ボール（１）は硬さと重さが選べるので飛距離と、壁や設備を壊さない硬度のものを選ぶことができる。【００１２】  ２０面体球技用ボール（１）が床に着くと、「Ｒ（アール）」面取り（３）と梨地処理のために滑らず滑らかに転がる。【００１３】  転がる速度が遅くなると、２０面体球技用ボール（１）の接地状態によって、思わぬ方向に勝手に転がることになる。【００１４】  以上のように、硬質ゴム製の２０面体球技用ボール（１）に、「Ｒ（アール）」面取り（３）と梨地処理を加えることで、屋内であっても屋外での球技と同様に楽しむことができる。
【図面の簡単な説明】
【００１５】
【図１】２０面体の球技用ボール
【符号の説明】
【００１６】１・・・２０面体の球技用ボール
２・・・正三角形の平面部
３・・・「Ｒ（アール）」面取り部
【図１】
0003230378.tif 000003
(57)【要約】      （修正有）【課題】鳥の身体や爪が黒くならない備長炭止まり木を提供する。【解決手段】止まり木は、天然の素材を原料とした複数の塗料を配合した混合塗料によって、備長炭１をコーティングした表面塗布層Ａを有する。【選択図】図１
0003230376.tif 000002
【実用新案登録請求の範囲】
【請求項１】
天然の素材を原料とした複数の塗料を配合した混合塗料によって、備長炭をコーティングした止まり木。
【考案の詳細な説明】
【技術分野】
【０００１】  本考案は、備長炭を材料とした鳥や小動物の止まり木に関するものである。
【背景技術】
【０００２】  従来の炭の止まり木の多くは、その多孔質構造（空隙構造）とミネラル効果の活用を目的としているものが多い。具体的には、主に室内で飼育する鳥や小動物の体臭や口臭、糞尿臭に対する脱臭材として、一方、炭化することで、水に溶け易くなった各種ミネラルが豊富に含まれているので、鳥や小動物にとっては体内に吸収されやすくなった各種ミネラルの補給材として活用されている。
【先行技術文献】
【特許文献】
【０００３】
【特許文献１】実用新案登録第３１１７５５５号公報
【考案の概要】
【考案が解決しようとする課題】
【０００４】  現在日本で販売されている備長炭止まり木は、主に鳥の止まり木として使用されており、その多孔質構造（空隙構造）による鳥の各種臭いに対する消臭効果、ミネラル効果の活用による鳥への各種ミネラルの補給材としての利用に加え、爪とぎ効果があることから、認知度も上昇し、それに伴い売上本数も増加してきている。しかしながら、従来の備長炭止まり木は、鳥の身体や爪が黒くなりやすいという欠点があった。
【課題を解決するための手段】
【０００５】  これらの課題を解決するため、本考案による備長炭止まり木は、天然の素材を原料とした複数の塗料を配合した混合塗料によって、備長炭をコーティングしたものである。
【考案の効果】
【０００６】  本考案による備長炭止まり木は、備長炭を天然の素材を原料とした複数の塗料を配合した混合塗料によってコーティングすることによって、鳥が備長炭の止まり木の上を動くことによって発生していた炭の微細な黒い粉末の発生を抑制することが可能になり、鳥の身体や爪などが黒くなることを低減することが出来る。
【図面の簡単な説明】
【０００７】
【図１】本考案に係る備長炭止まり木
【考案を実施するための形態】
【０００８】  本考案に係る備長炭止まり木（図１）は、鳥の体内に入っても問題のない、天然の素材を原料とした複数の自然塗料をある配合比率でブレンドしたものでコーティングを施している。
【実施例】
【０００９】以下、添付図面に従って一実施例を説明する。
１は備長炭、Ａは天然の素材を原料とした複数の自然塗料をある配合比率でブレンドしたものでコーティングである。ここでいう、自然塗料とは、例えば、蜜ろう、ツバキ油などである。ある種類の自然塗料による備長炭をコーティングした場合では、前記自然塗料によるコーティングが備長炭に浸透しすぎてコーティングの機能を果たさなかったり、他の種類の自然塗料による備長炭をコーティングした場合では、その粘度の大きさから備長炭へのコーティング膜が張りすぎて、多孔質構造（空隙構造）による脱臭・殺菌効果の低下、各種ミネラルの補給材としての機能の低下、更に、爪とぎ効果も低下させる結果となった。そこで、本考案では、複数の粘度の異なる蜜ろう、ツバキ油などの自然塗料をある配合比率でブレンドをしたことで、適切な粘度を有したコーティング材を実現したものである。結果として、本考案のコーティング材でコーティングをした備長炭の止り木では、一般的な備長炭の止り木と比較して、いきなり鳥の身体や爪が黒くなることがなくなると共に、鳥の身体や爪が黒くなりにくくなった。ただし、鳥の爪によってコーティングが削られ炭の粉がわずかではあるが発生するので、適宜、濡れた雑巾などで拭くことが必要である。
本考案に係る備長炭止り木を鳥かごに取り付ける際には、本考案の備長炭１にボルト２をねじ込み、２枚のワッシャー４で鳥かごを挟み込むようにして蝶ナット３で固定する。
本実施の形態では、鳥による使用例を示しているが、鳥に限らず小動物においても使用可能である。
【符号の説明】
【００１０】Ａ−コーティング
１−備長炭
２−ボルト
３−蝶ナット
４−ワッシャー
【図１】
0003230376.tif 000003
(57)【要約】      （修正有）【課題】金銭を滅菌・殺菌・除菌する機能を設け、金銭の流通によるウィルスの拡散及び感染拡大を防止・減少させるレジスターやＡＴＭ機械などの機械を提供する。【解決手段】金銭を流通する過程で使用する、レジスターやＡＴＭ機械などの一時的に金銭を保管する機能を持つ機械の内部・キャッシュドロワー部などに滅菌・殺菌・除菌機能のある灯や装置を搭載することで、その機械を通過する過程において硬貨・紙幣に付着したウィルスを滅菌・殺菌・除菌し、金銭によるウィルスの拡散・感染拡大を防止・減少させる。【選択図】図１
0003230360.tif 000002
【実用新案登録請求の範囲】
【請求項１】
レジスターやＡＴＭ機械などの金銭を流通する上で一時的に現金を収納する機能を持つ機械の現金収納部に、滅菌・殺菌・除菌に効果のある灯や装置を設置し、その機械を通過する硬貨や紙幣に付着したウィルスを減少することで、金銭によるウィルス拡散・感染拡大を軽減する機能を備えた機械及び、現行機種への後付け搭載を可能とした滅菌・殺菌・除菌製品の考案。
【考案の詳細な説明】
【技術分野】
【０００１】      本考案は金銭を流通する機械の現金収納部に滅菌・殺菌・除菌に効果のある灯や装置を搭載するシステムの考案である。
【背景技術】
【０００２】      コロナ・ウィルス感染拡大時に金銭・紙幣へのウィルス付着による拡散の可能性が見込まれ、感染予防のためレジ担当者は手袋着用などの対策をとるも、ウィルスの付着した金銭がそのまま利用者や客に流通しているため、金銭によるウィルスの拡散防止には至っていないため。
【先行技術文献】
【特許文献】
【０００３】      無し
【非特許文献】
【０００４】
【非特許文献１】「新型コロナウイルス  Ｑ＆Ａ  ＮＯ．６｜けさのクローズアップ｜ＮＨＫニュース  おはよう日本」Ｑ：お金で感染？物の表面についたウィルスはどれくらい残るか。ｈｔｔｐｓ：／／ｗｗｗ．ｎｈｋ．ｏｒ．ｊｐ／ｏｈａｙｏｕ／ｄｉｇｅｓｔ／２０２０／０４／０４３０＿２．ｈｔｍｌ
【考案の概要】
【考案が解決しようとする課題】
【０００５】    金銭・紙幣は多くの人の間を流通しており、その過程としてＡＴＭ機械やレジスターの通過はとても多い。しかしながら現行の機械は現金の一時的収納と金銭の入出金のみを機能としているため、硬貨・紙幣に付着したウィルスをも流通してしまっている。従って金銭を流通する過程で硬貨・紙幣を滅菌・殺菌・除菌することで先述の状況を改善・解決するものである。
【課題を解決するための手段】
【０００６】    レジスター及びＡＴＭ機械などの金銭を流通する機械の現金収納部に、滅菌・殺菌・除菌に効果のある灯や装置を設置することで、このシステムを搭載した機械を通過する硬貨や紙幣に付着したウィルスを滅菌・減少する。
また現行機種へ同効果の装置を後付けで設置搭載を考慮した製品開発も視野にいれることで、広範囲での現在放置されている問題の改善・解決への取り組みを可能とする。
【考案の効果】
【０００７】    上述の様に、本考案のマネー・ロンダリング・システムは、金銭を流通する既存の機能はそのままに、尚且つその過程において金銭を滅菌・殺菌・除菌でき、金銭によるウィルスの拡散・感染拡大を軽減を可能としている。
【図面の簡単な説明】
【０００８】
【図１】キャッシュドロア及び現金を収納する部分の出入口側から見た図
【図２】キャッシュドロア及び現金を収納」する部分の断面図
【考案を実施するための形態】
【０００９】現行機種を土台とし、受け取った現金を収納する過程で硬貨・紙幣に付着したウィルスを殺菌・滅菌・除菌できるよう、収納部に殺菌・滅菌・除菌に有効な灯や装置などの機器を設置。
【産業上の利用可能性】
【００１０】現在レジスターやＡＴＭ機械などの現金を一時収納する機械を利用しているすべての施設での利用が可能。
現行機種を開発・制作している企業及び殺菌・滅菌・除菌機器を開発・制作している企業へ考案内容を提案。
【符号の説明】
【００１１】１現金収納トレー。メッシュにする。
２出入する側
３奥側壁面に殺菌・滅菌・除菌の装置を設置
４天井側壁面に殺菌・滅菌・除菌の装置を設置
５底側壁面に殺菌・滅菌・除菌の装置を設置
６（出入口より向かって）左側面に殺菌・滅菌・除菌の装置を設置
７（出入口より向かって）右側面に殺菌・滅菌・除菌の装置を設置
【図１】
0003230360.tif 000003
【図２】
0003230360.tif 000004
【手続補正書】
【提出日】令和2年10月26日(2020.10.26)
【手続補正１】
【補正対象書類名】実用新案登録請求の範囲
【補正対象項目名】全文
【補正方法】変更
【補正の内容】
【実用新案登録請求の範囲】
【請求項１】
レジスターやＡＴＭ機械などの金銭を流通する上で一時的に現金を収納する機能を持つ機械の現金収納部に、滅菌・殺菌・除菌に効果のある灯や装置を設置し、その機械を通過する硬貨や紙幣に付着したウィルスを減少させることで、金銭によるウィルス拡散・感染拡大を軽減する機能を備えた機械。
【手続補正２】
【補正対象書類名】明細書
【補正対象項目名】０００６
【補正方法】変更
【補正の内容】
【０００６】レジスター及びＡＴＭ機械などの金銭を流通する機械の現金収納部に、滅菌・殺菌・除菌に効果のある灯や装置を搭載することで、このシステムを搭載した機械を通過する硬貨や紙幣に付着したウィルスを滅菌・減少させることで、広範囲での現在放置されている問題の改善・解決への取り組みを可能とする。
【手続補正３】
【補正対象書類名】明細書
【補正対象項目名】０００７
【補正方法】変更
【補正の内容】
【０００７】上述の様に、本考案のマネー・ロンダリング・システムは、金銭を流通するための既存の機能はそのままに、尚且つその過程において金銭を滅菌・殺菌・除菌でき、金銭によるウィルスの拡散・感染拡大を防止・軽減することを可能としている。
(57)【要約】      （修正有）【課題】植物栽培容器をニワトリ等の卵殻にすることで、観賞用植物の小型軽量化を図り、植物の持つ様々な効果を誰もが等しく享受するエッグシェルプランツを提供する。【解決手段】ニワトリ等の卵殻１に専用工具類を用いて飾り彫りを施すエッグシェルアートを植物栽培容器に利用して、植物３を土壌２と共に植栽、または、土壌なしで挿入し、家庭園芸を手軽に楽しめるエッグシェルプランツとする。【選択図】図１
0003230356.tif 000002
【実用新案登録請求の範囲】
【請求項１】
ニワトリ等の卵の殻に専用工具類を用いて飾り彫りを施すエッグシェルアートを植物栽培容器に利用して、植物を土壌と共に植栽または土壌なしで挿入し、家庭園芸を手軽に楽しめることを特徴とするエッグシェルプランツ。
【考案の詳細な説明】
【技術分野】
【０００１】  本考案は、ニワトリ等の天然に産する卵の殻に由来するエッグシェルアートを植物栽培容器に利用し、植物を植栽したエッグシェルプランツに関する。
【背景技術】
【０００２】  家庭園芸において植物を室内で栽培や育成する場合、従来はプラスチックや陶器等で作られた植物栽培容器が使用されていた。
【先行技術文献】
【特許文献】
【０００３】
【特許文献１】実登３１１７０８８  公報
【０００４】
【特許文献２】実登３２１６１１９  公報
【考案の概要】
【考案が解決しようとする課題】
【０００５】  コロナ禍の現在、人々は室内で過ごす時間が増加し様々なストレスが問題視されている。そのため、住空間を快適にすることが重要になりつつある。【０００６】  植物は人間にとって心身ともに健康になれる効果が複数存在する。愛媛大学農学部の教授が発表している植物の主な効用としては、「リラックス効果」「視覚疲労緩和」「室内の湿度調整」「空気清浄」「知的生産性の向上」「ストレス軽減」が挙げられる。家庭園芸用植物を室内に設置することによって容易に住空間を快適にすることが可能である。【０００７】  しかしながら、市販されている一般的な植物栽培容器である植木鉢やプランターは小型軽量のものが少なく、室内に設置する場合にはある程度のスペースが必要となる。また植物が主役となるため、植物栽培容器の審美性は低くなりがちである。【０００８】  設置が可能だったとしても、日々の水やりや肥料、時折の太陽光照射等、時間的労働的負担が否めない。さらに使用後は分別が必要なゴミとなり廃棄処分に手間がかかる。
【課題を解決するための手段】
【０００９】  上記目的を達成するための本考案は、省スペースが可能となる。糸を通すことで壁掛けや天井吊り下げ等、空間を有効活用できる。また、小型軽量のため持ち運びが容易になり、配送や贈答が簡便になる。【００１０】  卵特有の丸いフォルムや飾り彫りは、従来の植物栽培容器より審美性が高くなる。【００１１】  ジョウロ等による水やりは不要となり、スポイトや霧吹き等の使用で水やりが簡素化される。卵殻に含有されている炭酸カルシウムや炭酸マグネシウム等有機物は、土壌内の微生物の餌となるため肥料が不要である。また、卵殻は通気性が良いため、殻内部の湿度を上げることがなくカビの発生を抑制できる。【００１２】  卵殻は自然由来なため、野菜やハーブ等種子から育苗した場合、成長後は卵殻ごと植栽可能となりゴミが削減できる。
【考案の効果】
【００１３】  本考案は、ニワトリ等の卵殻サイズのため小型軽量にあり、かつ斬新なデザインの植物栽培容器を提供することができる。栽培や育成が容易になるため、病室や施設の小部屋等狭小の住空間であっても手軽に植物の持つ癒しの効果が得られる。【００１４】  植栽の場合、卵殻は土壌に返るためゴミの削減につながる。卵は安定して入手できるため、従来の植物栽培容器より安価で提供することができる。
【図面の簡単な説明】
【００１５】
【図１】  本考案のエッグシェルプランツの実施形態を示す正面図である。
【図２】  本考案のエッグシェルプランツの実施形態を示す側面図である。
【考案を実施するための形態】
【００１６】  ニワトリ等の卵の殻に専用工具類を用いて飾り彫りを施し、植物栽培容器として利用する。
【実施例】
【００１７】  ニワトリ等の卵の白身と黄身を取り出し洗浄した後、卵殻に専用工具類を用いて飾り彫りをする。卵殻内に土壌を入れ、観賞用植物を植栽または育苗用種子を蒔く。または、卵殻内に土壌不要の観賞用植物を挿入する。
【符号の説明】
【００１８】１  ニワトリ等の卵殻
２  土壌
３  植物
４  土壌を要しない観賞用植物
【図１】
0003230356.tif 000003
【図２】
0003230356.tif 000004